(57)【要約】【課題】  印刷装置に確実に洗浄用パッドを固定する。【解決手段】  パッド保持具は、洗浄用パッド２５の両端部に開けられた複数の穴２５ａに挿通される突出部２３２ａを有し、洗浄用パッドを収納するパッドケース２３と、パッドケース２３を保持する保持部材２３と、パッドケース２３の突出部２３２ａに覆い被さり、洗浄用パッド２５が突出部２３２ａから抜け出ることを防止して洗浄用パッド２５をパッドケース２３に保持する被覆部材２２２と、を備える。【選択図】  図８
2008062488.tif 000002
【特許請求の範囲】
【請求項１】
印刷装置の印字ヘッドのノズル面を清掃する洗浄用パッドを保持するパッド保持具であって、
洗浄用パッドの両端部に開けられた複数の穴に挿通される突出部を有し、洗浄用パッドを収納するパッドケースと、
前記パッドケースを保持する保持部材と、
前記パッドケースの前記突出部に覆い被さり、洗浄用パッドが前記突出部から抜け出ることを防止して前記洗浄用パッドを前記パッドケースに保持する被覆部材と、
を備えることを特徴とするパッド保持具。
【請求項２】
前記被覆部材が前記保持部材に設けられ、前記保持部材は、前記パッドケースを保持するとともに、洗浄用パッドを前記パッドケースに保持する、
ことを特徴とする請求項１に記載のパッド保持具。
【請求項３】
前記保持部材と前記被覆部材とが、一体に形成された一対の共通の部材から構成される、ことを特徴とする請求項１に記載のパッド保持具。
【請求項４】
請求項１乃至３のいずれか１項に記載のパッド保持具を装着する支持部材を備えたメンテナンス機構を備え、
前記メンテナンス機構の制御により印字ヘッドのノズル面を前記パッド保持具により清掃する、ことを特徴とする印刷装置。
【請求項５】
請求項１乃至３のいずれか１項に記載のパッド保持具を装着する支持部材を備えたメンテナンス機構を備え、
前記メンテナンス機構は、印字ヘッドのノズル面をワイピングするワイパを備え、
メンテナンス機構の制御により印字ヘッドのノズル面をワイパにより清掃し、該ワイパを前記パッド保持具に保持された洗浄用パッドで前記ワイパを洗浄する、
ことを特徴とする印刷装置。
【発明の詳細な説明】
【技術分野】
【０００１】
本発明は、プリンタの印字ヘッドの洗浄用パッドの保持具及び印刷装置に関する。
【背景技術】
【０００２】
従来、インクジェットプリンタでは、印刷を終了したとき、メンテナンス機構により、複数のノズル孔が形成された印字ヘッドのノズル面に付着した余分なインクを掻き取ったり、ノズル面に付着した異物を除去していた。
【０００３】
非特許文献１に記載されるようにノズル面に付着したインク等の異物を除去するクリーナーユニットの洗浄用パッドを保持するパッド保持具は、メンテナンス機構の支持部材に装着されて、支持されている。
【０００４】
パッド保持具には、洗浄用パッドをパッドケースに収納・固定するために、洗浄用パッドの抜けを防止する爪をパッドケース上部に設けていた。
【非特許文献１】意匠登録第１２７４０９７号公報
【発明の開示】
【発明が解決しようとする課題】
【０００５】
しかし、上記の爪を設けた場合であっても、印字ヘッドのノズル面に付着した余分なインクを掻き取ったり、ノズル面に付着した異物を除去する際、パッドがパッドケースから外れてしまい、印刷装置の故障の原因となることがあった。そこで、パッドを確実に固定するために、パッドケースに接着したり、他の複雑な固定手段が必要とされていた。
【０００６】
本発明は、上記実情に鑑みてなされたものであり、簡単な構成で洗浄用のパッドを確実に固定することを目的とする。
【課題を解決するための手段】
【０００７】
上記目的を達成するため、本発明の第１の観点に係るパッド保持具は、
印刷装置の印字ヘッドのノズル面を清掃する洗浄用パッドを保持するパッド保持具であって、
洗浄用パッドの両端部に開けられた複数の穴に挿通される突出部を有し、洗浄用パッドを収納するパッドケースと、
前記パッドケースを保持する保持部材と、
前記パッドケースの前記突出部に覆い被さり、洗浄用パッドが前記突出部から抜け出ることを防止して前記洗浄用パッドを前記パッドケースに保持する被覆部材と、
を備えることを特徴とする。
【０００８】
例えば、前記被覆部材は、前記保持部材に設けられ、前記保持部材は、前記パッドケースを保持するとともに、洗浄用パッドを前記パッドケースに保持する。
【０００９】
例えば、前記保持部材と前記被覆部材とは、一体に形成された一対の共通の部材から構成される。
【００１０】
上記目的を達成するため、本発明の第２の観点に係る印刷装置は、
上述のパッド保持具を装着する支持部材を備えたメンテナンス機構を備え、
前記パッドケースに保持された洗浄用パッドが、前記被覆部材により前記突出部から抜け出ることを防止されつつ、前記メンテナンス機構の制御により印字ヘッドのノズル面を洗浄用パッドにより清掃する、
ことを特徴とする。
【００１１】
前記メンテナンス機構は、印字ヘッドのノズル面をワイピングするワイパを備えてもよい。この場合、前記メンテナンス機構は、前記ワイパを前記パッド保持具に保持された洗浄用パッドに擦って洗浄する。
【発明の効果】
【００１２】
上記構成によれば、洗浄用パッドの両端部に開けられた複数の穴に、パッドケースに形成された突出部が挿通され、さらに、被覆部材で係合部が被覆されるので、洗浄用パッドは、確実に固定される。
【発明を実施するための最良の形態】
【００１３】
本発明の実施の形態にかかる印刷装置について、以下図面を参照して説明する。
【００１４】
まず、図１を参照して、本実施の形態に係る印刷装置１の概要を説明する。
印刷装置１は、例えば、図示しない食品等をフィルム包装するフィルム包装装置のフィルムの搬送経路２に印刷ヘッド装置１１を後付して搬送されるフィルムＭに賞味期限等を印刷するものである。搬送経路２のローラ２ａ、２ｂをそれぞれプラテンローラ、送りローラとして用いる。印刷装置をフィルム包装装置とは別に構成し、印刷装置の制御下にある搬送装置のフィルム等の印刷媒体の搬送経路に印刷ヘッド装置１１を設けるなど、様々に変更可能である。
【００１５】
印刷ヘッド装置１１の外観図を図２に示し、そのＡ−Ａ線側から見た透視図を図３（ａ）に、そのＢ−Ｂ線側から見た透視図を図３（ｂ）に示す。図示するように、印刷ヘッド装置１１は、印字ヘッド１１１と、ヘッドキャリア１１２と、水平移動機構１２１と、垂直移動機構１３１と、筐体部１４１と、メンテナンス機構２０と、を有する。
【００１６】
印字ヘッド１１１は、インクジェット方式のものであり、略直方体形状のヘッド部１１１ａを有する。図４に示すように、ヘッド部１１１ａの下面（ノズル面）１１１ｂには、不図示のインクカートリッジから供給されたインクを吐出するノズル孔１１１ｃが、ノズル面１１１ｂの長手方向に沿って所定の間隔で複数形成されている。
【００１７】
ヘッドキャリア１１２は、開口部１１２ａが形成された板状部材である。ヘッドキャリア１１２は、印字ヘッド１１１のノズル面１１１ｂを下方に向けて印字ヘッド１１１をプラテンローラ２０ａと対向するように支持する。
【００１８】
水平移動機構１２１は、水平ガイド軸１２２と、タイミングベルト１２３と、モータ１２４とを有する。
【００１９】
水平ガイド軸１２２は、Ｙ方向（水平方向）に配置された棒部材である。
【００２０】
タイミングベルト１２３は、伸縮しない帯状部材である。タイミングベルト１２３は、一対のプーリー１２５に懸架される。
【００２１】
モータ１２４は、ステッピングモータから構成され、一対のプーリー１２５のうち、一方のプーリー１２５を回転駆動してタイミングベルト１２３を駆動する。
【００２２】
垂直移動機構１３１は、枠体１３２と、垂直ガイド軸１３３と、カム１３４と、ベルト把持部１３５と、モータ１３６を有する。
【００２３】
枠体１３２は、水平移動機構１２１の水平ガイド軸１２２にスライド可能に挿通される。枠体１３２は、ヘッドキャリア１１２を支持する。
【００２４】
垂直ガイド軸１３３は、枠体１３２にＺ方向（垂直方向）に配置された棒部材である。
【００２５】
カム１３４は、一端にヘッドキャリア１１２の開口部１１２ａに摺接する突出部１３４ａが突設されている。カム１３４は、回転板１３７に固定されている。
【００２６】
ベルト把持部１３５は、枠体１３２に固定されている。ベルト把持部１３５は、水平移動手段１２１のタイミングベルト１２３の一部を両側から把持し、タイミングベルト１２３の一部に固定されている。これにより、モータ１２４が駆動されてタイミングベルト１２３が回転駆動されることにより、垂直移動手段１３１が印字ヘッド１１１と共に水平ガイド軸１２２に沿ってＹ方向へ移動されるようになっている。
【００２７】
モータ１３６は、ステッピングモータである。モータ１３６は、回転板１３７を回転させる。
【００２８】
筐体部１４１は、印字ヘッド１１１、水平移動手段１２１、垂直移動手段１３１、メンテナンス機構２０を収容する略直方体の部材である。筐体部１４１は、下面に、印字ヘッド１１１のノズル面１１１ｂを露出する図示しない開口部を有する。
【００２９】
メンテナンス機構２０は、印刷ヘッド装置１１の筐体部１４１に印字ヘッド１１１と隣接して配置される。このメンテナンス機構２０は、印刷ヘッド装置１１の水平方向（Ｙ方向）に沿って配列された、クリーナユニット２１と、ワイパユニット２７と、キャップユニット２８とを有する。
【００３０】
クリーナユニット２１は、図５〜図９に示すように、洗浄用パッドトレイ２２と、パッドケース２３と、支持部材２４と、洗浄用パッド２５と、リミットスイッチ２６とを有する。洗浄用パッドトレイ２２と、パッドケース２３と、洗浄用パッド２５とは一体となって洗浄用パッド部２１ａを構成する。
【００３１】
図２に示すように、洗浄用パッド部２１ａは筐体１４１の開口部２１ｂから挿入され、図３（ａ）に示すように支持部材２４に装着される。
【００３２】
図５（ａ）〜（ｃ）に示すように、洗浄用パッドトレイ２２は、トレイ本体２２１、保持部材２２２、ガイドピン２２３から構成される。
【００３３】
トレイ本体２２１は、パッドケース２３が載置される平板部２２１ａを有する。
【００３４】
保持部材２２２は、トレイ本体２２１の平板部２２１ａの両端に立設して配置された一対のＬ字部を有する部材から構成される。保持部材２２２のＬ字部は、パッドケース２３の上面と側面とに当接する。保持部材２２２は、Ｌ字部の立設された側面に、パッドケースの係合部材と係合する突起２２２ａを有する。保持部材２２２のＬ字部は、パッドケース２３の上面と側面とに当接し、突起２２２ａに係合した係合部材の弾性力によりパッドケース２３を固定して保持する。
【００３５】
ガイドピン２２３は、胴部２２３ａと、拡径された平坦部２２３ｂとを有する。
ガイドピン２２３は、平板部２２１ａの支持部材２４の支持面に対向する面に長手方向に離間して配列される。図示するように、ガイドピン２２３は、平板部２２１ａの中央部と、端部とに離間して配置される。
【００３６】
ガイドピン２２３は、洗浄用パッドトレイ２２の支持部材２４への装着及び脱着時に、支持部材２４の開口２４ａに係合する。詳細には、ガイドピン２２３は、支持部材２４の開口２４ａから突出して、側面が開口２４ａに摺接し、平坦部が支持部材２４の支持面と反対側の面に接触して、開口２４ａの延伸方向に案内される。そのため、それぞれのガイドピン２２３は、平坦部が支持部材２４の開口２４ａの周縁部に当接して係合し、着脱の際のガタツキ（傾きの自由度）を防止する。これにより、装着及び脱着時の洗浄用パッドトレイ２２の上下、または左右の傾きが規制される。
【００３７】
図６（ａ）、（ｂ）に示すように、パッドケース２３は、上面が開放された容器から構成される。パッドケース２３は、両端部に、保持部材２２２の突起２２２ａと係合する係合部材２３１ａ，２３１ｂを有する。係合部材２３１ａ，２３１ｂは、係合部が端部から延びるアームに結合され、アームの弾性力により突起２２２ａに係止される。パッドケース２３の中央部、及び隅部に、収納された洗浄用パッド２５を保持するために、底面から上方に突出する突出部（突起部、ピン）２３２ａ，２３２ｂが配置されている。
【００３８】
洗浄用パッド２５は、ウレタンフォーム等の多孔質体の部材から構成される。洗浄用パッド２５は、図７（ａ）、（ｂ）に示すように、ほぼ長方形の平面形状を有し、インクノズルに直接接触しないように、インクノズルに対向する部分は、除去されている。洗浄用パッド２５は、ヘッド部１１１ａのノズル面１１１ｂを清掃するための洗浄液を保持する。洗浄用パッド２５は、パッドケース２３の開口部に収納される。このとき、突出部２３２ａ，２３２ｂが洗浄用パッド２５の貫通孔２５ａ，２５ｂを貫通する。図８（ａ）〜（ｃ）に示すようにパッドケース２３をトレイ本体２２１に装着したときには保持部材２２２が突出部２３２ａ及び貫通孔２５ａを覆うことにより、洗浄用パッド２５はパッドケース２３に確実に保持される。また、上記のように洗浄用パッドトレイ２２が傾きを規制して支持部材２４に装着されるので、パッドケース２３に収納された洗浄用パッド２５は、水平に保持される。
【００３９】
図９（ａ）〜（ｃ）に示すように、支持部材２４は、一端が開放され、長手方向に延伸する開口２４ａを有する平板部を有する。支持部材２４は、平板部の上面に載置された洗浄用パッドトレイ２２を支持する。
【００４０】
支持部材２４は、筐体１４１のフレーム１４１ａに図１のＸ方向に長手方向が延びるように水平に取り付けられてあり、この支持部材２４にはリミットスイッチ２６が架設されて配置される。リミットスイッチ２６は、ガイドピン２２３により押し下げられるアーム部材２６ａと、アーム部材２６ａの押下によりオンとなるマイクロスイッチ２６ｂと、アーム部材２６ａ及びマイクロスイッチ２６ｂを支持部材２４に架設する架設部材２６ｃから構成される。洗浄用パッドトレイ２２が支持部材２４に装着されていない場合には、図９（ｃ）に示すように、アーム部材２６ａとマイクロスイッチ２６ｂの接触板２６ｄが離間された位置に維持されるので、マイクロスイッチ２６ｂはオフとされ、換言すればリミットスイッチ２６はオフとされている。洗浄用パッドトレイ２２が支持部材２４に装着されている場合には、ガイドピン２２３によりアーム部材２６ａが押し下げられてマイクロスイッチ２６ｂの接触板２６ｄを押し下げ、マイクロスイッチ２６ｂがオン、換言すればリミットスイッチ２６がオンとなる。
【００４１】
また、リミットスイッチ２６は、洗浄用パッドトレイ２２が備える中央のガイドピン２２３が、支持部材２４の開口２４ａの所定の位置に達したことを検知するものであり、ここでは、中央のガイドピン２２３が筐体１４１のＸ軸方向の中央に達したときにオンとなるように設けてある。これにより、筐体１４１のいずれの側から洗浄用パッド部２１ａが挿入されても、中央のガイドピン２２３を検知可能としてある。
【００４２】
図１０（ａ）と（ｂ）に示すように、ワイパユニット２７は、駆動モータ２７１と、一対のプーリー２７２、２７３と、プーリー２７２と２７３の間に渡された無端ベルト２７４と、無端ベルト２７４に取り付けられ、中央部に窪み（凹）部２７５ａが形成されたワイパブレード２７５と、駆動モータ２７１からの動力をプーリー２７２に伝達するギア列２７６と、洗浄用パッド部２７ａとから構成される。
【００４３】
駆動モータ２７１が回転すると、ギア列２７６を介してプーリー２７２が回転する。プーリー２７２の回転に伴って無端ベルト２７４も回転し、無端ベルト２７４に取り付けられたワイパブレード２７５が移動する。メンテナンスモードでは、印字ヘッド１１１が所定のメンテナンス位置（図１０（ｂ）に示す位置）に配置されている状態では、ワイパブレード２７５の先端がノズル面１１１ｂを摺動し、インクや異物を拭き取る或いは欠き落とす。なお、ワイパブレード２７５の窪み部２７５ａにより、ワイパブレード２７５がインクノズル１１１ｃに直接接することはない。
【００４４】
ノズル面１１１ｂを洗浄したワイパブレード２７５は、無端ベルト２７４の動きに従って、移動し、洗浄用パッド部２７ａの表面を摺動する。これにより、ワイパブレード２７５に付着したインクや異物が除去され、洗浄される。
【００４５】
次に、図１１〜図１４を参照して洗浄用パッド部２７ａについて詳細に説明する。
なお、洗浄用パッド部２７ａは、基本的には、図５〜図８を参照して説明したクリーナユニット２１とほぼ同様の構成を有する。即ち、洗浄用パッド部２７ａは、洗浄用パッドトレイ３７１と、パッドケース３７２と、交換可能な洗浄用パッド３７３とを有する。
【００４６】
図２に示すように、洗浄用パッド部２７ａは筐体１４１の開口部２７ｂから挿入され、図１０（ｂ）に示すように印字ヘッド部１１のワイパユニット２７に装着される。
【００４７】
図１１（ａ）〜（ｃ）に示すように、洗浄用パッドトレイ３７１は、平板状のトレイ本体４１１と、保持部材４１２、切り欠け部４１３と、つまみ部４１４から構成される。
【００４８】
トレイ本体４１１は、平板状で、パッドケース３７２が載置される。
保持部材４１２は、トレイ本体４１１のトレイ本体４１１の両端及び一側辺部に立設して配置されたＬ字部を有する部材から構成される。保持部材４１２のＬ字部は、パッドケース３７２の上面と側面と一側部に当接に覆い被さる。
切り欠け部４１３は、トレイ本体４１１と保持部材４１２との間に配置され、挿入されたパッドケース３７２を抜き取る際にそこからパッドケース３７２を押し出し可能としてある。
つまみ部４１４は、トレイ本体４１１に固定され、洗浄用パッド部２７ａの挿抜を容易にする。
【００４９】
図１２（ａ）〜（ｃ）に示すように、パッドケース３７２は、上面が開放された容器４２１を備える。容器４２１の両端部及び中央部に、収納された洗浄用パッド３７３を保持するために、底面から上方に突出する突出部（突起部、ピン）４２２ａ，４２２ｂ、４２２ｃが配置されている。
【００５０】
洗浄用パッド３７３は、ウレタンフォーム等の多孔質体の部材から構成される。洗浄用パッド３７３は、図１３（ａ）、（ｂ）に示すように、ほぼ長方形の平面形状を有し、両端及び中央にパッドケース３７２の突出部４２２ａ，４２２ｂ，４２２ｃが挿通する貫通孔３７３ａ、３７３ｂ、３７３ｃを有する。洗浄用パッド３７３は、ワイパブレード２７５を清掃するための洗浄液を保持する。洗浄用パッド３７３は、パッドケース３７２の容器４２１に収納される。このとき、突出部４２２ａ，４２２ｂ、４２２ｃが洗浄用パッド３７３の貫通孔３７３ａ，３７３ｂ、３７３ｃを貫通する。
【００５１】
図１４（ａ）〜（ｃ）に示すようにパッドケース３７２を洗浄用パッドトレイ３７１に装着したときには、パッドケース３７２は、押し込みにより固定され、保持部材３１２が突出部４２２ａ、４２２ｂ及び貫通孔３７３ａ、３７３ｂ及び洗浄用パッド３７３の側部を覆うことにより、洗浄用パッド３７３はパッドケース３７２に確実に保持される。
【００５２】
図３に示すキャップユニット２８は、ノズル孔の乾燥を防止してインクの粘度の上昇による吐出不良を防止するため、ヘッド部１１１ａのノズル面１１１ｂを覆うキャップを保持する。
【００５３】
制御部３は、ＭＰＵ（Micro Processor Unit）、各種メモリなどから構成される。制御部３は、印刷ヘッド装置１１の水平移動手段１２１のモータ１２４と、垂直移動手段１３１のモータ１３６とを駆動して、ヘッドキャリア１１２に保持された印字ヘッド１１１を印刷媒体に印刷する印刷位置と、クリーナユニット２１によりヘッド部１１１ａのノズル面１１１ｂを清浄に保守するための上記クリーニング位置とに移動する。制御部３は、リミットスイッチ２６ａのオン、オフを検出する。
【００５４】
上記構成の印刷装置の印刷動作は、基本的に従来と同一であり、以下、特徴的な、印刷ヘッド装置１１のメンテナンス動作について説明する。
【００５５】
待機位置では、印字ヘッド１１１のノズル面１１１ｂにキャップユニット２８のキャップが被着されている。図示しないボタンによりメンテナンスが指示されると、制御部３は、リミットスイッチ２６ａがオンであること、すなわち、洗浄用パッド部２１ａが装着されていることを確認してメンテナンス動作を開始する。
【００５６】
メンテナンス動作を開始すると、制御部３は、水平移動手段１２１と垂直移動手段１３１とを駆動して、印字ヘッド１１１を、メンテナンス機構２０が配列された水平方向と、水平方向と直交し、メンテナンス機構２０に接離する垂直方向とに移動させる。印字ヘッド１１１は、待機位置から、図３（ｂ）に示すようなワイパユニット２７のワイパブレード２７５に対向するワイピング位置まで移動する。
【００５７】
制御部３は、駆動モータ２７１を駆動し、無端ベルト２７４を回転させることで、ワイパユニット２７のワイパブレード２７５を作動させて、ノズル面１１１ｂをワイピングする。このとき、ワイパブレード２７５は、ノズル面１１１ｂに付着した余分なインクや異物を除去する。ノズル面１１１ｂをワイピングしたワイパブレード２７５は、続いて、洗浄用パッド部２７ａの洗浄用パッド３７３をワイピングし、付着したインクや異物が、洗浄用パッド３７３により除去される。洗浄されたワイパブレード２７５は、再び、ノズル面１１１ｂをワイピングする。
【００５８】
ワイパブレード２７５が洗浄用パッド３７３を擦るため、洗浄用パッド３７３には水平方向（長辺方向）大きな力が加わるが、洗浄用パッド３７３の両端部及び中央部に形成された貫通孔３７３ａ、３７３ｂ、３７３ｃにパッドケース３７２の容器４２１に形成された突出部４２２ａ〜４２２ｃがそれぞれ挿入されており、さらに、その上面に保持部材４１２が覆い被さっているため、洗浄用パッド３７３がパッドケース３７２から外れることはない。
【００５９】
制御部３は、ワイピングが終了すると、駆動モータ２７１を停止し、垂直移動機構１３１と水平移動機構１２１とを駆動して、印字ヘッド１１１を垂直方向と水平方向とに移動させ、洗浄用パッドトレイ２２に対向するクリーニング位置まで移動する。このとき、上記のように、洗浄用パッド２５は、パッドケース２３に収納されて水平に保持されており、ノズル面１１１ｂに対向して平行に保持されている。そして、制御部３は、垂直移動機構１３１を駆動して、印字ヘッド１１１のノズル面１１１ｂを洗浄用パッドトレイ２２に保持された洗浄用パッド２５に圧接する。洗浄用パッド２５に保持された洗浄液により、ノズル面１１１ｂに付着した余分なインクや異物が除去されて、ノズル面１１１ｂが清掃される。
【００６０】
制御部３は、印字ヘッド１１１を複数回上下して、洗浄用パッド２５にノズル面１１ｂを複数回押圧する。押圧した印字ヘッド１１１を引き上げる際に、ノズル面１１１ｂに洗浄剤の表面張力等により吸着した洗浄用パッド２５も上方に引っ張られる。しかし、洗浄用パッド２５に形成された貫通孔２５ａ、２５ｂにパッドケース２３に形成された突出部２３２ａ、２３２ｂがそれぞれ挿入されており、さらに、突出部２３２ａ、貫通孔２５ａの上面に保持部材２２２が覆い被さっているため、洗浄用パッド２５がパッドケース２３から外れることはない。
【００６１】
ノズル面１１１ｂの清掃が完了すると、制御部３は、垂直移動手段１３１と水平移動手段１２１とを駆動して、印字ヘッド１１１を垂直方向と水平方向とに移動させ、待機位置まで移動する。キャップユニット２８に保持されたキャップが、清掃されたノズル面１１１ｂに被着される。
【００６２】
以上のようにしてノズル面１１１ｂの洗浄を繰り返して、洗浄用パッド２５が汚れ、洗浄能力が低下すると、ユーザは、以下の手順で洗浄用パッドを交換する。
【００６３】
まず、印刷ヘッド装置１１からクリーナユニット２１を抜き取る。洗浄用パッドトレイ２２の保持部材２２２ａと２２２ｂとパッドケース２３の係合部材２３１ａ、２３１ｂとの係合を解いて、洗浄用パッドトレイ２２からを取り外す。この段階で、それまで、洗浄用パッドトレイ２２の突出部２３２ａと洗浄用パッド２５の貫通孔２５ａに覆い被さっていた、保持部材２２２が２２２が取り除かれ、洗浄用パッド２５の両端部が露出する。
【００６４】
ユーザは、洗浄用パッド２５の両端部を上方に持ち上げて、汚れた洗浄用パッド２５を貫通孔２５ａ，２５ｂとパッドケース２３の突出部２３２ａ、２３２ｂの係合を解き、汚れた洗浄用パッド２５をパッドケース２３から取り除く。続いて、パッドケース２３を洗浄し、新たな洗浄用パッド２５の貫通孔２５ａ，２５ｂにパッドケース２３の突出部２３２ａ，２３２ｂを挿通して、洗浄用パッド２５をパッドケース２３に装着する。
【００６５】
続いて、このパッドケース２３の係合部材２３１ａ、２３１ｂと、保持部材２２２の突起２２２ａ，２２２ｂとを係合させることにより、パッドケース２３を洗浄用パッドトレイ２２に取り付ける。
【００６６】
続いて、パッドケース２２が取り付けられた洗浄用パッドトレイ２２を含む洗浄用パッド部２１ａを図２に示すように、印刷ヘッド装置１１に挿入し、支持部材２４に装着する。
【００６７】
ユーザは、ワイパユニット２７の洗浄用パッド部２７ａが汚れ、洗浄能力が低下した場合にも同様の手順で洗浄用パッドを交換する。即ち、印刷ヘッド装置１１からクリ洗浄用パッド部２７ａを抜き取る。次に、洗浄用パッドトレイ３７１からパッドケース３７２を取り外し、洗浄用パッド３７３の両端部を上方に持ち上げて、汚れた洗浄用パッド３７３の貫通孔３７３ａ〜３７３ｃとパッドケース３７２の突出部４２２ａ〜４２２ｃの係合を解き、汚れた洗浄用パッド３７３を取り除く。続いて、パッドケース３７２を洗浄し、新たな洗浄用パッド３７３の貫通孔４２２ａ〜４２２ｃにパッドケース３７２の突出部４２２ａ〜４２２ｃを挿通して、洗浄用パッド３７３をパッドケース３７２に装着する。続いて、パッドケース３７２を洗浄用パッドトレイ３７１に取り付ける。続いて、パッドケース３７２が取り付けられた洗浄用パッドトレイ３７１を含む洗浄用パッド部２７ａを図２に示すように、印刷ヘッド装置１１に挿入して装着する。
【００６８】
このような構成によれば、クリーナユニット２１の洗浄用パッド２５及び洗浄用パッド部２７ａの洗浄用パッドを安定して確実に固定することが可能であると共に比較的簡単に交換することができる。従って、印刷ヘッド装置１１のノズル面を清浄に保つことが容易となる。
【００６９】
また、複数のガイドピン２２３が配置されているので、洗浄用パッドトレイ２２の着脱の際のガタツキ（傾きの自由度）を防止され、また、挿抜が容易である。
【００７０】
さらに、ガイドピン２２３により、洗浄用パッド部２１ａの装着の有無を検知できるため。
【００７１】
本発明は、上記の実施の形態に限定されず、その応用及び変形等は任意である。
【００７２】
例えば、洗浄用パッド２５、３７３を保持するためのパッドケースや洗浄用パッドトレイの具体的な構成自体は任意である。肝要な点は、洗浄用パッドに貫通孔を形成し、パッドケース等に配置した突出部と係合させると共にその上部を保持部材で覆う点である。
【００７３】
なお、洗浄用パッドの材質・サイズ、パッドケースの材質・サイズなどは任意である。
【００７４】
洗浄用パッドのよれ、捩れ、等を防止するため、洗浄用パッドの貫通孔は、少なくとも、洗浄用パッドの長辺方向の両端部（末端である必要はない）であって、且つ、短辺方向の両端部の位置に１個ずつの計４個以上を配置されることが望ましい。これらの４つの貫通孔以外にさらに貫通孔を配置してもよい。ただし、洗浄用パッドの長辺方向の両端部に配置される貫通孔は線対称の関係に配置されることが望ましい。また、突出部は、各貫通孔の位置にあわせて配置される。
【００７５】
また、各貫通孔を補強などしてもよい。
また、クリーナユニット２１の構成と洗浄用パッド部２７ａと同一の構成とすることも可能である。
【００７６】
上記の実施の形態では、メンテナンス機構２０は、印刷ヘッド装置１１の筐体部１４１に印字ヘッド１１１と隣接して配置される。しかし、メンテナンス機構２０は、印刷位置から移動した印字ヘッド１１１に隣接するように、例えば印刷ヘッド装置１１の筐体部の外側に配置されてもよい。
【図面の簡単な説明】
【００７７】
【図１】本発明の実施形態に係る印刷装置の構成を示す斜視図である。
【図２】本発明の実施形態に係る印刷装置の筐体の構成を示す斜視図である。
【図３】本発明の実施の形態に係る印刷ヘッド装置の概略図である。（ａ）は、側面（Ａ−Ａ線方向）から見た透視図である。（ｂ）は、正面（Ｂ−Ｂ線方向）から見た透視図である。
【図４】印字ヘッドのヘッド部の斜視図である。
【図５】図３のクリーナユニットの洗浄用パッドトレイの概略図である。（ａ）は、立面図である。（ｂ）は、平面図である。（ｃ）は、側面図である。
【図６】クリーナユニットのパッドケースの概略図である。（ａ）は、立面図である。（ｂ）は、平面図である。
【図７】クリーナユニットの洗浄用パッドの概略図である。（ａ）は、平面図である。（ｂ）は、側面図である。
【図８】組み立て後のクリーナユニットの構成図である。（ａ）は、立面図である。（ｂ）は、平面図である。（ｃ）は、側面図である。
【図９】クリーナユニットの支持部材及びリミットスイッチの概略図である。
【図１０】ワイパユニットの構成を示す図である。（ａ）は平面図である。（ｂ）は側面図である。
【図１１】図３の洗浄用パッド部の洗浄用パッドトレイの概略図である。（ａ）は、立面図である。（ｂ）は、平面図である。（ｃ）は、側面図である。
【図１２】洗浄用パッド部のパッドケースの概略図である。（ａ）は、立面図である。（ｂ）は、平面図である。（ｃ）は、側面図である。
【図１３】洗浄用パッド部の洗浄用パッドの概略図である。（ａ）は、平面図である。（ｂ）は、側面図である。
【図１４】組み立て後の洗浄用パッド部の構成図である。（ａ）は、立面図である。（ｂ）は、平面図である。（ｃ）は、側面図である。
【符号の説明】
【００７８】
１１  印刷ヘッド装置
２０  メンテナンス機構
２１  クリーナユニット
２２  洗浄用パッドトレイ
２２１  トレイ本体
２２２  保持部材
２２３  ガイドピン
２３  パッドケース
２３２ａ、２３２ｂ  突出部（突起部、ピン）
２４  支持部材
２５  洗浄用パッド
２５ａ、２５ｂ  貫通孔
２６  リミットスイッチ
２７  ワイパユニット
２７ａ  洗浄用パッド部
２８  キャップユニット
２７１  駆動モータ
２７２、２７３  プーリー
２７４  無端ベルト
２７５  ワイパブレード
２７５ａ  窪み部（切り欠き部）
２７６  ギア列
３７１  洗浄用パッドトレイ
３７２  パッドケース
３７３  洗浄用パッド
３７３ａ、３７３ｂ、３７３ｃ  貫通孔
４１１  トレイ本体
４１２  保持部材
４１３  切り欠け部
４１４  つまみ部
４２１  容器
４２２ａ、４２２ｂ、４２２ｃ  突出部（突起部、ピン）
【図１】
2008062488.tif 000003
【図２】
2008062488.tif 000004
【図３】
2008062488.tif 000005
【図４】
2008062488.tif 000006
【図５】
2008062488.tif 000007
【図６】
2008062488.tif 000008
【図７】
2008062488.tif 000009
【図８】
2008062488.tif 000010
【図９】
2008062488.tif 000011
【図１０】
2008062488.tif 000012
【図１１】
2008062488.tif 000013
【図１２】
2008062488.tif 000014
【図１３】
2008062488.tif 000015
【図１４】
2008062488.tif 000016